(57)【要約】【課題】人形とともに箱内に保管した場合に、当該人形に悪影響を及ぼすことなく、優れた防虫効果を奏するとともに、優れた防臭機能をも発揮し、人形が異臭を放つ事態を効果的に防止することが可能で実用的な防虫部材を提供する。【解決手段】防虫部材１は、３つの竹炭片２，２・・と、収納室５，５・・を有する絹製の不織布からなる包装体３と、ポリエステル繊維製の不織布からなる被覆体４とから構成されている。そして、包装体３の各収納室５，５・・内に、竹炭片２，２・・が個別に収納された状態になっており、当該包装体３の外周が、被覆体４によって覆われた状態になっている。【選択図】図２
2010172268.tif 000002
【特許請求の範囲】
【請求項１】
竹炭を包装体によって包装したことを特徴とする防虫部材。
【請求項２】
前記包装体が、前記竹炭の断片を一つずつ個別に収納するための複数の収納室を有するものであることを特徴とする請求項１に記載の防虫部材。
【請求項３】
前記包装体の外周が、被覆体によって覆われていることを特徴とする請求項１、または請求項２に記載の防虫部材。
【請求項４】
前記包装体が絹製の不織布からなり、前記被覆体がポリエステル製の不織布からなるものであることを特徴とする請求項１〜３のいずれかに記載の防虫部材。
【発明の詳細な説明】
【技術分野】
【０００１】
本発明は、防虫剤を内包した防虫部材に関するものであり、特に、人形等の保管用途に好適な防虫剤に関するものである。
【背景技術】
【０００２】
雛人形や五月人形等の人形を収納するケース、箱内で使用する防虫剤は、衣類を収納する家具、ケース、箱内で使用する防虫剤と同様に、人体に悪影響を及ぼさず、布地に汚染、損傷を与えず、ダニやイガ等の虫類を効果的に忌避できることが必要とされる。そのような防虫剤としては、従来から、ナフタリン、樟脳、パラジクロロベンゼン等の化学物質が使用されている（特許文献１）。
【先行技術文献】
【特許文献】
【０００３】
【特許文献１】特開平６−２９３６１３号公報
【発明の概要】
【発明が解決しようとする課題】
【０００４】
しかしながら、上記したナフタリン、樟脳、パラジクロロベンゼン等からなる防虫剤は、比較的に短時間で揮散してしまうため、長期間に亘って保管される雛人形や五月人形用の防虫剤としては不向きである。加えて、揮発した後に再結晶化して人形に付着し、見栄えを悪くしたり、変色を引き起こしたりすることもある。また、再結晶化して人形に付着することにより、当該化学物質の臭いが人形に染み付いてしまうこともある。
【０００５】
本発明の目的は、上記従来のが有する問題点を解消し、人形とともに箱内に保管した場合に、当該人形に悪影響を及ぼすことなく、優れた防虫効果を奏するとともに、優れた防臭機能をも発揮し、人形が異臭を放つ事態を効果的に防止することが可能で実用的な防虫部材を提供することにある。
【課題を解決するための手段】
【０００６】
本発明の内、請求項１に記載された発明は、竹炭を包装体によって包装したことを特徴とする防虫部材である。なお、本発明でいう竹炭とは、淡竹、真竹、孟宗竹等の竹材料を所定の温度（４００℃〜１，０００℃）で焼成して得られる炭化物のことをいう。
【０００７】
請求項２に記載された発明は、請求項１に記載された発明において、前記包装体が、前記竹炭の断片を一つずつ個別に収納するための複数の収納室を有するものであることを特徴とするものである。
【０００８】
請求項３に記載された発明は、請求項１、または請求項２に記載された発明において、前記包装体の外周が、被覆体によって覆われていることを特徴とするものである。
【０００９】
請求項４に記載された発明は、請求項１〜３のいずれかに記載された発明において、前記包装体が絹製の不織布からなり、前記被覆体がポリエステル製の不織布からなるものであることを特徴とするものである。
【発明の効果】
【００１０】
請求項１に記載の防虫部材は、従来のナフタレン等の化学物質に代わって天然由来の竹炭がきわめて高い防虫機能を奏するものであるため、人形とともにケース、箱内に保管した場合に、当該人形に悪影響を及ぼすことがない上、人形への虫の付着を効果的に防止することができる。また、竹炭が多孔質構造によってアンモニア、ホルムアルデヒド、硫化水素等の悪臭の原因物質を効果的に吸着するため、人形が異臭を放つ事態を効果的に防止することができる。加えて、ナフタレン等の化学物質の如く、昇華した後に人形に付着する、という事態を発生させたりしない。
【００１１】
請求項２に記載の防虫部材は、各竹炭片が包装体の収納室内に１つずつ収納されており、各竹炭片の動きが規制されているので、不必要に多くの竹炭粉塵を発生させることがないため、竹炭粉塵が包装体の外部へ漏洩する事態を効果的に防止することができる。
【００１２】
請求項３に記載の防虫部材は、包装体の外周が被覆体によって覆われているため、竹炭粉塵が外部へ漏洩する事態を非常に効果的に防止することができる。
【００１３】
請求項４に記載の防虫部材は、包装体が絹製の不織布からなり、被覆体がポリエステル製の不織布からなるものであるため、包装体と被覆体との摩擦によって包装体にプラスの静電気が帯電し、当該プラスの静電気が、マイナスに帯電し易い竹炭粉塵を吸着するので、竹炭粉塵が外部へ漏洩する事態をきわめて効果的に防止することができる。
【図面の簡単な説明】
【００１４】
【図１】防虫部材の平面図（透視図）である。
【図２】図１におけるＡ−Ａ線断面図である。
【図３】防虫部材の変更例を示す説明図である。
【発明を実施するための形態】
【００１５】
以下、本発明に係る防虫部材について、図面に基づいて詳細に説明する。図１は、防虫部材の平面図であり、図２は、図１におけるＡ−Ａ線断面を示したものである。防虫部材１は、３つの竹炭片２，２・・と、それらの竹炭片２，２・・を覆う包装体３および被覆体４とから構成されている。
【００１６】
各竹炭片２，２・・は、長方形状に切断した竹材料（淡竹、真竹、孟宗竹等）を、炭焼き釜の内部で焼成することによって形成されている。すなわち、長方形状に切断した竹材料（皮付きのもの）を、炭焼き釜の内部に投入し、３〜４日に亘って当該炭焼き釜内の水蒸気を回流させながら温度を徐々に上昇させることによって竹材料を乾燥させ、釜内温度を約７００〜８５０℃に保ちながら４０〜５０時間に亘って炭化させた後に、炭焼き釜の釜口、煙突を塞いで釜内を密閉状態にして鎮火し、４〜５時間に亘って精錬、冷却することによって形成されている。そして、各竹炭片２，２・・とも、幅２０〜３０ｍｍ×長さ約９０ｍｍ×厚み約４〜５ｍｍの大きさに切断されている。
【００１７】
また、包装体３は、絹繊維からなる２枚の不織布７，７を重ね、それらの不織布７，７の周縁の端縁を熱融着するとともに、全幅を３等分する位置において上下を縦断するように熱融着することによって、３つの長方形状の収納室５，５・・を設けた袋状に形成されており、幅約１３５ｍｍ×長さ約１３５ｍｍの大きさを有している。なお、熱融着部分７ａの幅は、約２．５ｍｍになっている。また、包装体３を構成している不織布７，７は、平均繊維径が約１５μmの絹繊維を積層することによって形成されており、目付が約５０ｇ／ｍ２となるように調整されている。
【００１８】
一方、被覆体４は、ポリエステル繊維からなる２枚の不織布８，８を重ね、周縁の端縁を熱融着することによって、袋状に形成されており、幅約１３５ｍｍ×長さ約１３５ｍｍの大きさを有している。なお、熱融着部分８ａの幅は、約２．５ｍｍになっている。また、被覆体４を構成している不織布８，８は、平均繊維径が約１０μmのポリエステル繊維を積層することによって形成されており、目付が約４０ｇ／ｍ２となるように調整されている。
【００１９】
そして、防虫部材１は、包装体３の各収納室５，５・・内に、竹炭片２を１つずつ収納し、当該包装体３を被覆体４内に収納することによって形成されている。かかる防虫部材１は、たとえば、雛人形や五月人形等を収納するケース、箱内に一緒に入れることによって使用される。そのように人形とともにケース、箱内に収納された防虫部材１においては、内蔵された竹炭片２，２・・が、調湿性に優れており、かつ、マイナスに帯電し易い特性を有するものであるため、ダニ、イガ等の害虫を高い確率で忌避することができる（ＪＩＳ−Ｌ−１９２０進入阻止法によるダニの忌避率＝９６．４％）。
【００２０】
また、竹炭片２，２・・が、アルカリ性の物質であり、抗菌作用を発現するため、カビや細菌の繁殖を効果的に防止することができる（ＪＩＳ−Ｌ−１９０２菌液吸収法による黄色ブドウ球菌の生菌数＜６００、静菌活性値＞４．１、殺菌活性値＞１．６）。
【００２１】
さらに、竹炭片２，２・・が多孔質構造によってアンモニア、ホルムアルデヒド、硫化水素等の悪臭の原因物質を効果的に吸着するため、優れた防臭機能を発揮する（３．０ｇの竹炭を５Ｌのデドラーバッグに入れ、当該デドラーバッグに濃度５．０ｐｐｍに調整したホルムアルデヒドを３Ｌ注入した場合における２時間後、２４時間後のホルムアルデヒド濃度は、それぞれ、０．２ｐｐｍ、０．１ｐｐｍ未満）。
【００２２】
防虫部材１は、上記の如く、竹炭片２，２・・を包装体３によって包装したものであり、従来のナフタレン等の化学物質に代わって天然由来の竹炭片２，２・・がきわめて高い防虫機能を奏するものであるため、人形とともにケース、箱内に保管した場合に、当該人形に悪影響を及ぼすことがない上、人形への虫の付着を効果的に防止することができる。また、竹炭片２，２・・が多孔質構造によってアンモニア、ホルムアルデヒド、硫化水素等の悪臭の原因物質を効果的に吸着するため、人形が異臭を放つ事態を効果的に防止することができる。加えて、ナフタレン等の化学物質の如く、昇華した後に人形に付着する、という事態を発生させたりしない。
【００２３】
また、防虫部材１は、包装体３が竹炭片２，２・・を一つずつ個別に収納するための複数の収納室５，５・・を有するものであり、各竹炭片の動きが規制されているので、不必要に多くの竹炭粉塵を発生させることがないため、竹炭粉塵が包装体３の外部へ漏洩する事態が起こりにくい。
【００２４】
さらに、防虫部材１は、包装体３の外周が被覆体４によって覆われており、竹炭粉塵が包装体３の外部へ漏洩した場合でも、当該竹炭粉塵が被覆体４内に閉じ込められるため、竹炭粉塵が外部へ漏洩する事態が非常に起こりにくい。
【００２５】
加えて、防虫部材１は、包装体３が絹製の不織布からなり、被覆体４がポリエステル製の不織布からなるものであるため、包装体３と被覆体４との摩擦によって包装体３にプラスの静電気が帯電し、当該プラスの静電気が、マイナスに帯電し易い竹炭粉塵を吸着するので、竹炭粉塵が外部へ漏洩する事態がきわめて起こりにくい。
【００２６】
なお、本発明に係る防虫部材の構成は、上記実施形態の態様に何ら限定されるものではなく、竹炭（竹炭片）、包装体、被覆体の材質、形状、構造等の構成を必要に応じて適宜変更することができる。
【００２７】
たとえば、本発明に係る防虫部材は、上記実施形態の如く、包装体が３つの収納室を有するものに限定されず、２つあるいは単一の収納室を有するものや４つ以上の収納室を有するものでも良い。さらに、防虫部材は、各収納室に竹炭片を１つずつ収納したものに限定されず、複数の竹炭片を１つの収納室に収納したものに変更することも可能である。
【００２８】
また、防虫部材は、上記実施形態の如く、包装体、被覆体の材質を不織布としたものに限定されず、包装体および／または被覆体の材質を織布等に変更することも可能である。なお、上記実施形態の如く、包装体および被覆体を不織布とした場合には、製造が容易となり、防虫効果、防臭効果が優れたものとなる上、竹炭粉塵がより漏洩しにくいものとなる、というメリットがある。
【００２９】
さらに、上記実施形態の如く、包装体、被覆体の材質を不織布とする場合には、それらの不織布は、上記実施形態の如き特性を有するものに限定されず、目付や平均繊維径の数値を必要に応じて適宜変更することができる。なお、包装体、被覆体の不織布の目付を５〜１００ｇ／ｍ２とし、平均繊維径を５〜５０μmに調整すると、竹炭粉塵を外部に漏洩させる事態を発生させることなく、防虫効果、防臭効果を良好なものとすることが可能となる。また、プラスに帯電し易い材料で形成した不織布の目付を他の不織布の目付より高くすると、竹炭粉塵の漏洩防止機能がより精度の高いものとなる。
【００３０】
また、防虫部材は、上記実施形態の如く、包装体の材質を絹とし、被覆体の材質をポリエステルとしたものに限定されず、包装体および被覆体の材質を必要に応じて適宜変更することができる。なお、摩擦によりプラスに帯電し易い羊毛、ナイロン、絹、レーヨン、木綿等の材料によって包装体を形成するとともに、摩擦によりマイナスに帯電し易いポリエステル、アクリル等の材料によって被覆体を形成した場合には、上記実施形態の場合と同様に、包装体と被覆体との摩擦によってプラスの静電気が帯電し、当該プラスの静電気が、マイナスに帯電し易い竹炭粉塵を吸着するので、竹炭粉塵の外部への漏洩をきわめて効果的に防止することが可能となる。
【００３１】
加えて、防虫部材は、上記実施形態の如く、包装体の外周を単一の被覆体で覆ったものに限定されず、図３の如く、包装体の外周を２つ以上の被覆体（４ａ，４ｂ）によって覆ったものに変更することも可能である。かかる構成を採用した場合には、竹炭粉塵の外部への漏洩防止機能がより精度の高いものとなる。加えて、上記の如く、包装体の外周を２つ以上の被覆体によって覆う場合には、内側の被覆体および外側の被覆体の不織布の材質を必要に応じて適宜変更することができる。そして、包装体、内側の被覆体、外側の被覆体の材質を変更することにより、外側の被覆体、内側の被覆体、包装体の順にプラスに帯電し易くした場合には、より内側にプラスの静電気が帯電し、当該プラスの静電気が、マイナスに帯電し易い竹炭粉塵を吸着するので、竹炭粉塵の漏洩防止機能が一層精度の高いものとなる。
【００３２】
一方、防虫部材に内包する竹炭（竹炭片）は、上記実施形態の如く、７００〜８５０℃の温度で焼成したもの（中温度炭）に限定されず、４００〜６００℃の温度で焼成したもの（低温度炭）や、８５０〜１，０００℃の温度で焼成したもの（高温度炭）に変更することも可能である。また、上記実施形態の如く、皮付きの竹材料を焼成したものに限定されず、皮を剥いだ竹材料を焼成したものでも良い。なお、上記実施形態の如く、皮付きの竹材料を焼成した竹炭（竹炭片）を使用した場合には、害虫の忌避作用がより一層優れたものとなる。
【産業上の利用可能性】
【００３３】
本発明に係る防虫部材は、上記の如く優れた効果を奏するものであるから、各種の人形等の保管用途等に好適に用いることができる。
【符号の説明】
【００３４】
１・・防虫部材
２・・竹炭
３・・包装体
４，４ａ，４ｂ・・被覆体
５・・収納室
【図１】
2010172268.tif 000003
【図２】
2010172268.tif 000004
【図３】
2010172268.tif 000005